(57)【特許請求の範囲】
【請求項１】
長軸（Ａ）を有し、前記長軸（Ａ）の周りを回転方向（Ｒ）に回転可能な回転切断工具（２０）であって、前記回転切断工具（２０）は、切断部（２２）及び前記切断部（２２）から延びる取り付け部（２４）を含み、
前記切断部（２２）は、
前記長軸（Ａ）に交差する端面表面（２８）、及び、前記端面表面（２８）から前記取り付け部（２４）に向かって延出する周囲表面（３０）であって、前記周囲表面（３０）は、前記周囲表面（３０）上で窪み、前記長軸（Ａ）の周りを反対側へ螺旋状に延びる、それぞれ複数の主溝及び補助溝（３２、３４）を含む、端面表面（２８）及び周囲表面（３０）と、
前記端面表面（２８）上に形成される複数の端面切断歯（４８）であって、各前記端面切断歯（４８）は、略回転方向（Ｒ）に向く端部歯主表面（５４）と、前記端面表面（２８）及び前記端部歯主表面（５４）の交差部に形成された端部切断刃（５６）と、を含み、前記端面切断歯（４８）は、円周方向に隣接する端部深溝（４２）の間に規定され、各前記端部深溝（４２）は、前記周囲表面（３０）と前記端面表面（２８）とが複数の前記主溝（３２）の関連する一つで交差することを遮断する、複数の端面切断歯（４８）と、を備え、
前記主溝（３２）の数及び前記補助溝（３４）の数は異なっており、それぞれ、前記端面切断歯（４８）の数によって完全に割り切れることができ、前記端面切断歯（４８）の数よりも大きく、
前記端部深溝（４２）は、前記主溝（３２）に対して均一にかつ円周状に配置され、
前記端部深溝（４２）を通る前記長軸（Ａ）に垂直に見た前記切断部（２２）の断面視のそれぞれにおいて、前記端面切断歯（４８）のうちの一つの前記周囲表面（３０）の周囲輪郭（ＰＣ）によって規定される仮想輪郭線（ＬＣ）が、他のすべての前記端面切断歯（４８）の前記周囲表面（３０）の前記周囲輪郭（ＰＣ）と、長軸（Ａ）の周りを回転整列する関係にある、回転切断工具（２０）。
【請求項２】
前記主溝（３２）は、均等に間隔を空けており、
前記補助溝（３４）は、均等に間隔を空けている、請求項１に記載の回転切断工具（２０）。
【請求項３】
各前記端部深溝（４２）は、前記端面表面（２８）及び前記周囲表面（３０）の交差部に沿って周囲に、回転方向（Ｒ）に延び、かつ、前記交差部に沿ってちょうど２つの隣接する前記主溝（３２）を遮断する、請求項１又は２に記載の回転切断工具（２０）。
【請求項４】
各前記端部深溝（４２）は、前記取り付け部（２４）に向かって延び、前記周囲表面（３０）上の少なくとも２つの前記補助溝（３４）を遮断する、請求項１〜３のいずれか１項に記載の回転切断工具（２０）。
【請求項５】
各前記端部深溝（４２）は、前記周囲表面（３０）上のちょうど２つの前記補助溝（３４）を遮断する、請求項４に記載の回転切断工具（２０）。
【請求項６】
前記隣接する一対の主溝及び補助溝（３２、２４）は、個々の周囲切断歯（３６）を形成するように前記周囲表面（３０）上で交差する、請求項１〜５のいずれか１項に記載の回転切断工具（２０）。
【請求項７】
各前記周囲切断歯（３６）は、前記周囲表面（３０）及び隣接する一対の主溝（３２）の回転先端主溝（３２）の交差部に形成される主周囲切断刃（３８）と、前記周囲表面（３０）及び隣接する一対の補助溝（３４）の回転先端補助溝（３４）の交差部に形成される補助周囲切断刃（４０）と、を含む、請求項６に記載の回転切断工具（２０）。
【請求項８】
前記主周囲切断刃（３８）と、前記周囲切断歯（３６）のそれぞれの前記補助周囲切断刃（４０）と、の間に周囲の解放表面（４１）が延びる、請求項７に記裁の回転切断工具（２０）。
【請求項９】
前記長軸（Ａ）に対して垂直に見るが、前記端部深溝（４２）を通らない前記切断部（２２）のそれぞれの断面図では、前記切断部（２２）は、前記長軸（Ａ）に対してＮ重の回転対称を示し、Ｎは、前記主溝（３２）の数と前記補助溝（３４）の数との最大公約数に等しい、請求項１〜８のいずれか１項に記載の回転切断工具（２０）。
【請求項１０】
前記長軸（Ａ）に沿って見た前記回転切断工具（２０）の端面視に示されるように、前記端部切断刃（５６）の少なくとも一つは、前記切断部（２２）の径方向の中心部（Ｃ）に向かって延びる延出端切断刃（６８）を形成する、請求項１〜９のいずれか１項に記載の回転切断工具（２０）。
【請求項１１】
前記主溝及び前記補助溝（３２、２４）それぞれの数は、４以上２４以下である、請求項１〜１０のいずれか１項に記載の回転切断工具（２０）。
【請求項１２】
前記端面切断歯（４８）の数は、２以上８以下である、請求項１〜１１のいずれか１項に記載の回転切断工具（２０）。
【請求項１３】
前記主溝（３２）の数は、前記補助溝（３４）の数より多い、請求項１〜１２のいずれか１項に記載の回転切断工具（２０）。
【請求項１４】
前記主溝（３２）の数は、前記端面切断歯（４８）の数の正確に３倍であり、
前記補助溝（３４）の数は、前記端面切断歯（４８）の数の正確に２倍である、請求項１〜１３のいずれか１項に記載の回転切断工具（２０）。
【請求項１５】
前記端面切断歯（４８）の数は４であり、
前記主溝（３２）の数は１２であり、
前記補助溝（３４）の数は８である、請求項１４に記載の回転切断工具（２０）。
【請求項１６】
前記主溝（３２）のすべては、主溝螺旋角度αを有する主溝螺旋（Ｈ１）で、長軸（Ａ）に対して螺旋状に並んでおり、
前記補助溝（３４）のすべては、補助溝螺旋角度βを有する補助溝螺旋（Ｈ２）で、長軸（Ａ）に対して螺旋状に並んでおり、
前記主溝螺旋角度αは、前記補助溝螺旋角度βより、絶対値において小さい、請求項１〜１５のいずれか１項に記載の回転切断工具（２０）。
【請求項１７】
前記主溝（３２）の各々及び前記補助溝（３４）の各々は、前記端面表面（２８）又は前記端部深溝（４２）の一つに対して開口している、請求項１〜１６のいずれか１項に記載の回転切断工具（２０）。
【請求項１８】
前記端部深溝（４２）の各々は、深溝角度δを有し、各深溝角度δは、３０度＜δ＜５０度の範囲である、請求項１〜１７のいずれか１項に記載の回転切断工具（２０）。
【請求項１９】
各前記端部切断刃（５６）は、前記長軸（Ａ）に対して垂直に方向づけられる皿平面（Ｐ）に関して測定される皿角度（θ）を規定する、請求項１〜１８のいずれか１項に記載の回転切断工具（２０）。
【請求項２０】
前記補助溝（３４）によって規定される補助コア直径（ＣＤＡ）は、前記主溝（３２）によって規定される主コア直径（ＣＤＭ）よりも大きい、請求項１〜１９のいずれか１項に記載の回転切断工具（２０）。
【発明の詳細な説明】
【技術分野】
【０００１】
本出願の主題は、左巻き及び右巻きの螺旋溝及び端面切断刃を有する回転切断工具に関し、特に繊維ガラスのような、積層された素材の複合体に切断操作を行うためのものである。
【背景技術】
【０００２】
回転切断工具には、回転切断工具の周囲の表面に窪む左巻き及び右巻きの螺旋状の溝が設けられてよい。そのような回転切断工具の例は、例えば、米国特許第６，２３４，７２５号明細書に開示されており、左巻き及び右巻きの螺旋状の溝が、交差カッター（すなわち、個別の周囲の切断刃）を形成するように、交差している。
【０００３】
他の回転切断工具のいくつかでは、米国特許第４，９９０，０３５号明細書で議論されるとおり、切断領域における軸方向の隙間ができないように、左巻きの螺旋溝の数は、右巻きの螺旋溝の数と異なっている。
【０００４】
回転切断工具には、その頂部に端面切断刃が設けられてよい。そのような回転切断工具の例としては、例えば、米国特許第８，２７７，１５２号明細書に開示されている。
【先行技術文献】
【特許文献】
【０００５】
【特許文献１】米国特許第６，２３４，７２５号明細書
【特許文献２】米国特許第４，９９０，０３５号明細書
【特許文献３】米国特許第８，２７７，１５２号明細書
【発明の概要】
【発明が解決しようとする課題】
【０００６】
新しく改善された回転切断工具を提供することが、本発明の目的である。
【０００７】
本出願のさらなる目的は、長軸の周りを安定して回転する回転切断工具を提供することである。
【０００８】
本出願のまたさらなる目的は、全ての周囲の切断刃が、端面表面から同じような軸方向距離で、実質的に同じ割合で摩耗する回転切断工具を提供することである。
【課題を解決するための手段】
【０００９】
本出願の主題の第一の側面に沿って、長軸（Ａ）を有し、該長軸（Ａ）の周りを回転方向に回転可能な回転切断工具が提供される。回転切断工具は、切断部及び切断部から延びる取り付け部を含む。切断部は、長軸に交差する端面表面及び端面表面から取り付け部に向かって延びる周囲表面を含む。周囲表面は、周囲表面に窪み、長軸の周りを反対側へ螺旋状に延びるそれぞれが複数の主溝及び補助溝を含む。切断部は、端面表面上に形成される複数の端面切断歯を含む。それぞれの端面切断歯は、略回転方向に向く端部歯主表面及び端面表面及び端部歯主表面の交差部に形成された端部切断刃を含む。それぞれの端面切断歯は、円周方向に隣接する端部深溝の間に規定される。端部深溝のそれぞれは、周囲表面と端面表面とが複数の主溝の関連する一つで交差することを遮断する。主溝の数と補助溝の数は異なっており、それぞれは、端面切断歯の数によって完全に割り切ることができ、端面切断歯の数よりも大きい。端部深溝は、主溝に対して均一にかつ円周状に配置されている。端部深溝を通る長軸に対して垂直に見た切断部の断面図のそれぞれにおいて、端面切断歯のうちの一つの周囲表面の周囲輪郭によって規定される仮想輪郭線は、他のすべての端面切断歯の周囲表面の周囲輪郭と、長軸の周りを回転整列する関係にある。
【００１０】
上記は要約であり、これから記載される特徴は、本発明の主題に対するどのような組み合わせにも適用することができる。例えば、以下の特徴のいずれもが、回転切断工具に適用することができるということが理解される。
【００１１】
主溝は、均等に間隔が空けられている。補助溝は、均等に間隔が空けられている。
【００１２】
端部深溝のそれぞれは、端面表面及び周囲表面の交差部に沿って周囲に、回転方向に延び、交差部に沿って、正確に２つの隣接する主溝を遮断できる。
【００１３】
それぞれの端部深溝は、取り付け部に向かって延び、周囲表面上の少なくとも２つの前記補助溝を遮断できる。
【００１４】
それぞれの前記端部深溝は、周囲表面上の正確に２つの補助溝を遮断できる。
【００１５】
端面切断歯のそれぞれは、取り付け部から最も遠い端部で端面表面によって軸方向に規定されてよく、そして、周方向に隣接する端部深溝によって径方向に規定されてよい。
【００１６】
隣接する一対の主溝及び補助溝は、個々の周囲切断歯を形成するように周囲表面上で交差する。
【００１７】
周囲切断歯のそれぞれは、周囲表面及び隣接する一対の主溝の回転先端主溝の交差部に形成される主周囲切断刃と、周囲表面及び隣接する一対の補助溝の回転先端補助溝の交差部に形成される補助周囲切断刃と、を含んでよい。
【００１８】
周囲の解放表面は、主周囲切断刃と、周囲切断歯のそれぞれの補助周囲切断刃と、の間に延びてよい。
【００１９】
回転切断工具は、エンドミルカッター及びルータービットからなるグループから選ばれる一つであってよい。
【００２０】
回転切断工具は、単一の一体化されたワンピース構造を含んでよい。
【００２１】
長軸に対して垂直に見るが、端部深溝を通らない切断部のそれぞれの断面図において、切断部は、長軸に対してＮ重の回転対称を示してよく、Ｎは、主溝の数と補助溝の数の最大公約数に等しい。
【００２２】
長軸に沿って見た前記回転切断工具の端面図に示されるように、端部切断刃の少なくとも一つは、切断部の径方向の中心部に向かって延びる延出端切断刃を形成することができる。端部深溝を通り、長軸に対して垂直に見る切断部のそれぞれの断面図において、切断部は、Ｘに等しい刃区域を有してよく、Ｘは前記端面切断歯の数から延出端切断刃の数を引いた数に等しい。
【００２３】
切断部は、長軸に対して１８０度の回転対称を示してよい。
【００２４】
主溝及び補助溝それぞれの数は、４以上２４以下であってよい。
【００２５】
端面切断歯の数は、２以上８以下であってよい。
【００２６】
主溝の数は、補助溝の数より多くてよい。
【００２７】
主溝の数は、端面切断歯の数の正確に３倍であってよい。補助溝の数は、端面切断歯の数の正確に２倍であってよい。
【００２８】
端面切断歯の数は４であってよい。主溝の数は１２であってよい。補助溝の数は８であってよい。
【００２９】
回転切断工具は、右巻きの回転切断工具であってよく、主溝は右巻きの螺旋溝であってよく、補助溝は、左巻きの螺旋溝であってよい。又は、回転切断工具は、左巻きの回転切断工具であってよく、主溝は左巻きの螺旋溝であってよく、補助溝は、右巻きの螺旋溝であってよい。
【００３０】
切断部は、略円筒状であってよい。
【００３１】
主溝のすべては、主溝螺旋角度を有する主溝螺旋で、長軸に対して螺旋状に並んでいてよい。補助溝のすべては、補助溝螺旋角度を有する補助溝螺旋で、長軸に対して螺旋状に並んでいてよい。主溝螺旋角度は、補助溝螺旋角度より、絶対値において小さくてよい。
【００３２】
取り付け部は、ねじ部を含んでよい。
【００３３】
長軸に対して垂直に見た切断部の断面図のそれぞれにおいて、すべての主溝は、径方向に測定される均等な主溝深さを有してよい。
【００３４】
主溝のそれぞれ及び補助溝のそれぞれは、端面表面又は端部深溝の一つに対して開口してよい。
【００３５】
端部深溝のそれぞれは、深溝角度δを有し、各深溝角度δは、３０度＜δ＜５０度の範囲であってよい。
【００３６】
端部切断刃のそれぞれは、長軸に対して垂直に方向づけられる皿平面に関して測定される皿角度を規定してよい。
【００３７】
補助溝によって規定される補助コア直径は、主溝によって規定される主コア直径よりも大きくてよい。
【００３８】
端面切断歯の一つの周囲表面は、他の全ての端面切断歯の周囲表面と、長軸の周りを回転整列する関係にある。
【００３９】
本出願をよりよく理解し、実際にどのように実施されるかを示すため、添付の図面が参照される。
【図面の簡単な説明】
【００４０】
【図１】回転切断工具の斜視図である。
【図２】図１に示す回転切断工具の側面図である。
【図３】図１に示す回転切断工具の端面図である。
【図４】図１に示す回転切断工具の切断部の詳細図である。
【図５】図２に示す回転切断工具の切断部の詳細図である。
【図６ａ】長軸に対して垂直に見た回転切断工具の切断部の断面図であり、主溝のみが示されている。
【図６ｂ】長軸に対して垂直に見た回転切断工具の切断部の断面図であり、補助溝のみが示されている。
【図７】図２におけるＶＩＩ−ＶＩＩ線に沿う切断部の断面図である。
【図８】図２におけるＶＩＩＩ−ＶＩＩＩ線に沿う切断部の断面図である。
【発明を実施するための形態】
【００４１】
説明の単純化及び明確化のため、図に示す要素は必ずしも寸法が合っているものではないことが理解されるだろう。例えば、明確化のため、要素の一部の面積は、他の要素に対して相対的に強調されてよい。又は、いくつかの物理的な構成要素は、一つの機能的なブロック又は要素に含まれてよい。適切だと思われるところでは、参照符号は対応又は類似する要素を指し示すため複数の図面の間で繰り返される。
【００４２】
以下の記述の中で、本出願の主題の様々な側面が記載される。説明の目的のため、特定の構成や詳細は、本発明の主題を完全に理解できるように十分詳細に述べられる。しかしながら、ここに示される特定の構成や詳細がなくても、本出願の主題を実施することができるということも、当業者にとって明らかであろう。
【００４３】
まず、回転切断工具２０を示す図１及び２に注目する。回転切断工具２０は、エンドミルカッター及びルータービットからなるグループから選ばれる一つであってよい。回転切断工具２０は、下降し、螺旋形を挿入する切断操作に用いられてよい。回転切断工具２０は、積層素材の複合体、例えばガラス繊維等を切断するために用いられる。本出願の主題のいくつかの実施形態に沿って、回転切断工具２０は、超硬合金（セメントカーバイド）で製造されてよい。回転切断工具２０は、単一の一体化されたワンピース構造を有してよい。切断部２２は、長軸Ａに対して１８０度の回転対称を示すことができる。
【００４４】
回転切断工具２０は、回転方向Ｒに回転切断工具２０が回転する長軸Ａを有する。回転切断工具２０は、切断部２２と、切断部２２から延び、回転切断工具２０を補完的な工具ホルダに脱着可能に取り付ける取り付け部２４と、を有する。図１及び図２に示すように、この非限定的な例では、取り付け部２４は、工具ホルダ上の対応するホルダねじ部に螺合するようにねじを切ったねじ部２６を含んでよい。
【００４５】
図３〜５を参照すると、切断部２２は、長軸Ａに交差する端面表面２８を含む。切断部２２は、端面表面２８から取り付け部２４に向かって延びる周囲表面３０を含む。本出願の主題のいくつかの実施形態に沿って、切断部２２は、概ね円筒形状を有してよい。特に図３を参照すると、端面表面２８は、複数の、たとえば４つの端面サブ表面２８ａ、２８ｂ、２８ｃ、２８ｄにより形成されてよい。
【００４６】
周囲表面３０は、周囲表面３０でそれぞれ窪む複数の主溝３２及び複数の補助溝３４を含む。複数の主溝３２及び補助溝３４のそれぞれは、長軸Ａの周りで反対側へ螺旋状に延びる。本出願の主題のいくつかの実施形態に沿って、すべての主溝３２は、主溝螺旋角度αを有する主溝螺旋Ｈ１で、長軸Ａの周りを螺旋状に並んでいる。すべての補助溝３４は、補助溝螺旋角度βを有する補助溝螺旋Ｈ２で、長軸Ａの周りを螺旋状に並んでいる。主溝螺旋角度αは、補助溝螺旋角度βよりも、絶対値が小さくてよい。
【００４７】
ここで、回転切断工具２０の切断部２２の断面図を示す図６ａを参照すると、主溝３２のみが示されており、主溝３２は均等に間隔を空けている。主溝３２は、主コア直径ＣＤＭ及び主周囲切断刃３８の外径に関連する主周囲直径ＰＤＭを規定する。本出願の主題のいくつかの実施形態に沿って、全ての主溝３２は均等主溝深さＤ１を有してよく、均等主溝深さＤ１は、主コア直径ＣＤＭ及び主周囲切断刃３８の外径のそれぞれに関連づけられる２つの同心円の間で、径方向に測定される距離として規定される。
【００４８】
回転切断工具２０の切断部２２の断面図を示す図６ｂを参照すると、補助溝３４のみが示されており、補助溝３４は均等に間隔を空けている。補助溝３４は、補助コア直径ＣＤＡ及び補助周囲切断刃４０の外径に関連する補助周囲直径ＰＤＡを規定する。本出願の主題のいくつかの実施形態に沿って、全ての補助溝３４は、均等な補助溝深さＤ２を有してよく、補助溝深さＤ２は、補助コア直径ＣＤＡ及び補助周囲切断刃４０の外径のそれぞれに関連づけられる２つの同心円の間で、径方向に測定される距離として規定される。補助コア直径ＣＤＡは、主コア直径ＣＤＭよりも大きくてよい。主周囲直径ＰＤＭは、補助周囲直径ＰＤＡと同じであってもよい。主溝深さＤ１は、補助溝深さＤ２よりも深くてよい。
【００４９】
図２を参照すると、主溝３２及び補助溝３４の隣り合うペアは、周囲表面３０上で交差して、個々の周囲切断歯３６を形成する。それぞれの周囲切断歯３６は、主周囲切断刃３８を含む。主周囲切断刃３８は、周囲表面３０と、主溝３２の隣接するペアの回転先端主溝３２と、の交差部に形成される。それぞれの周囲切断歯３６は、補助周囲切断刃４０を含む。補助周囲切断刃４０は、周囲表面３０と、補助溝３４の隣接するペアの回転先端補助溝３４と、の交差部に形成される。周囲の解放表面４１は、主周囲切断刃３８と補助周囲切断刃４０との間でそれぞれの周囲切断歯３６の上に延びる。本出願の主題に沿って構成される周囲切断歯３６は、例えばガラス繊維のような、積層素材の複合体上に切断操作を行う際に、層間剥離を低減するため有益であることがわかる。
【００５０】
図３〜図５を参照すると、切断部２２は、複数の端部深溝４２を含む。深溝、本明細書において端部深溝と呼ばれるものが、回転切断工具の分野で知られている。このような深溝は、端面表面２８に位置する切断領域から、軸の切断操作の間に切りくずを排出させるための空間を規定する切欠きである。それぞれの端部深溝４２は、周囲表面３０と端面表面２８とが、それぞれの深溝４２が関係している主溝３２で交差するところを遮断する。言い換えれば、端部深溝４２のそれぞれは、周囲表面３０と端面表面２８との交差部を横切って延びており、複数の主溝３２のうちの関連する一本において、周囲表面３０及び端面表面２８に開口している。
【００５１】
端部深溝４２は、主溝３２に対して均一にかつ円周状に配置されている。すなわち、各Ｍ番目の主溝３２は、関連する端部深溝４２を有し、Ｍは端部深溝４２の数で主溝３２の数を割った数と等しい。例えば、非限定的な例示において、１２本の主溝３２及び４つの端部深溝４２があり、端部深溝４２は、第１、第４、第７及び第１０の主溝３２にそれぞれ形成されている。主溝３２のいくつかは、関連する端部深溝４２を有していない。
【００５２】
端部深溝４２のそれぞれは、第１深溝側面４４ａを含む。第１深溝側面４４ａは、略回転方向Ｒを向いている。なお、第１深溝側面４４ａは、関連する主溝３２に交差する。端部深溝４２のそれぞれは、第２深溝側面４４ｂを含む。第２深溝側面４４ｂは、おおむね第１深溝側面４４ａの反対側に面している。本出願の主題のいくつかの実施形態に沿って、端部深溝４２のそれぞれは、第１深溝側面４４ａ及び第２深溝側面４４ｂの間に延びる深溝中央表面４６を含んでよい。
【００５３】
それぞれの端部深溝４２は、端面表面２８及び周囲表面３０の交差部に沿って回転方向Ｒに、円周状に延び、正確に２つの隣接し合う主溝３２をその交差部に沿って遮断してよい。なお、端部深溝４２が、端面表面２８及び周囲表面３０の交差部に沿って１より多い主溝３２を遮断する場合、端部深溝４２の関連する主溝３２は、回転するような軌跡の主溝３２である。それぞれの端部深溝４２は、取り付け部２４に向かって延びることができ、周囲表面３０上の少なくとも２つの補助溝３４を遮断してよい。最適には、端部深溝４２のそれぞれは、周囲表面３０上で正確に２つの補助溝３４を遮断できる。端部深溝４２のそれぞれは、深溝角度δ（デルタ）を有し、深溝角度δは、端部深溝４２のそれぞれの深溝中央表面４６上にある仮想線Ｌと長軸Ａとの間で規定される。特定の適用においては、それぞれの深溝角度δが３０度＜δ＜５０度の範囲であるとき、最適な性能が得られる。端部深溝４２を上記規定したような構成及び寸法にすることで、切断操作の間に作業片から生み出されるくずの排出を有利に改善することができる。
【００５４】
図４に最もよく示されるように、本出願の主題のいくつかの実施形態において、主溝３２のそれぞれは、端面表面２８又は端部深溝４２のうちの一つに開口している。同様に、補助溝３４のそれぞれは、端面表面２８又は端部深溝４２のうちの一つに開口している。
【００５５】
切断部２２は、端面表面２８上に形成される複数の端面切断歯４８を含む。端面切断歯４８のそれぞれは、隣り合う端部深溝４２の間に周方向に規定される。円周方向に隣接する端部深溝４２は、回転先端深溝５０及び回転後端深溝５２からなる。端面切断歯４８のそれぞれは、取り付け部２４から軸方向に最も遠い端部で端面表面２８によって規定される。さらに、それぞれの端面切断歯４８は、円周方向に隣接する端部深溝４２によって放射状に規定される。より正確には、それぞれの端面切断歯４８は、回転先端深溝５０の第１深溝側面４４ａ及び回転後端深溝５２の第２深溝側面４４ｂによって放射状に規定されてよい。それぞれの端面切断歯４８は、円周方向に隣接する端部深溝４２の間に配置される周囲表面３０によって、周囲が規定される。
【００５６】
それぞれの端面切断歯４８は、主に回転方向Ｒに面する端部歯主表面５４を含み、端部歯主表面５４は、円周方向に隣接する端部深溝４２の回転先端深溝５０によって形成される。より正確には、端部歯主表面５４は、円周方向に隣接する端部深溝４２の回転先端深溝５０の、第１深溝側面４４ａによって形成される。端部歯主表面５４は、長軸Ａに対して傾斜してよい。この点は公知であり、発明の一部ではない。
【００５７】
端面切断歯４８のそれぞれは、端面表面２８と、端部歯主表面５４との交差部に形成される端部切断刃５６を有する。端部切断刃５６のそれぞれは、端部切断刃５６から遠ざかるように延びる端部歯主表面５４上に位置する端部レーキ面６２を有する。端部切断刃５６のそれぞれは、端部切断刃５６から遠ざかるように延びる端面表面２８上に位置する端部主要起伏面５８を有する。本発明の主題のいくつかの実施形態に沿って、端部第２起伏面６０は、端面表面２８上に位置してよく、端部切断刃５６から遠ざかる方向に端部主要起伏面５８から延びてよい。端部主要起伏面５８のそれぞれ、選択的に端部第２起伏面６０のそれぞれは、端面サブ表面２８ａ、２８ｂ、２８ｃ、２８ｄそれぞれの上に位置してよい。
【００５８】
端部切断刃５６のそれぞれは、長軸Ａに沿って見た回転切断工具２０の端面図（すなわち、図３）に見られるように、切断部２２の径方向外側部６６から、切断部２２の径方向内側部６４の方向へ延びる。言い換えれば、端部切断刃５６のそれぞれは、略径方向に延びる。なお、端部切断刃５６のそれぞれは、長軸Ａを通過する必要はない。
【００５９】
端部切断刃５６のそれぞれは、長軸Ａに対して垂直に方向づけられた皿表面Ｐに関して測定される皿角度θを規定してよい。すなわち、端部切断刃５６のそれぞれは、切断部２２の側面図（すなわち、図５）に見られるように、切断部２２の径方向内側部６４に向かって延びるに従って、取り付け部２４までの距離が減少するように傾斜している。
【００６０】
図７を参照すると、本発明の主題のいくつかの実施形態において、長軸Ａに対して垂直に見るが、端部深溝４２を通らない切断部２２のそれぞれの断面図では、切断部２２は、長軸Ａに対してＮ重の回転対称を示してよい。ここでＮは、主溝３２の数と補助溝３４の数の最大公約数に等しい。
【００６１】
ここで図８を参照すると、端部深溝４２を通り、長軸Ａに対して垂直に見る切断部２２のそれぞれの断面図では、端面切断歯４８の一つの周囲表面３０における周囲輪郭ＰＣは、仮想輪郭線ＬＣを規定する。なお、周囲輪郭ＰＣは、隣接する端部深溝４２の間に位置する溝の形成された周囲表面３０の輪郭によって規定される。仮想輪郭線ＬＣは、他の全ての端面切断歯４８における周囲表面３０の周囲輪郭ＰＣと、長軸Ａの周りを回転整列する関係にある。このように、端面切断歯４８の一つの周囲表面３０は、他の全ての端面切断歯４８における周囲表面３０と、長軸Ａの周りを回転整列する関係にある。
【００６２】
長軸Ａ（すなわち、図３）に沿って見た回転切断工具２０の端面図に見られるように、軸方向の一部で切断操作を可能にするため、切断刃５６の端部の少なくとも一つは、切断部２２の径方向の中心部Ｃに向かって延びる延出端切断刃６８を形成する。端面切断歯４８が奇数の場合、端部切断刃５６の１つの端部が延出端切断刃６８を形成する。端面切断歯４８が偶数の場合、２つの端部切断刃５６が延出端切断刃６８を形成する。このようにして、本出願の主題のいくつかの実施形態に沿って、ここで図８を参照すると、端部深溝４２を通る長軸Ａに垂直に見た切断部２２それぞれの断面図において、切断部２２はＸに等しい刃区域Ｓを有し、Ｘは端面切断歯４８の数から延出端切断刃６８の数を引いた数に等しい。言い換えれば、切断部２２は、端部深溝４２と同一のＸを有してよい。
【００６３】
主溝３２の数及び補助溝３４の数は異なる。主溝３２及び補助溝３４の数は、それぞれ端面切断歯４８の数で割り切れることができ、また、端面切断歯４８の数よりも大きい。本出願の主題のいくつかの実施形態に沿って、端面切断歯４８の数は、２以上及び８以下であってよい。主溝３２及び補助溝３４の数は、それぞれ、４以上及び２４以下であってよい。主溝３２の数は、補助溝３４の数より大きくてよい。主溝３２の数は、端面切断歯４８の数の正確に３倍であってよい。補助溝３４の数は、端面切断歯４８の数の正確に２倍であってよい。特定の適用では、端面切断歯４８の数が４に等しく、主溝３２の数が１２に等しく、補助溝３４の数が８に等しいときに、最適な性能が得られる。
【００６４】
本出願の主題のいくつかの実施形態に沿って、回転切断工具２０は、右巻きの回転切断工具であってよく、主溝３２は右巻きの螺旋溝で、補助溝３４は、左巻きの螺旋溝であってよい。代替的に、回転切断工具２０は、左巻きの回転切断工具であってよく、主溝３２は左巻きの螺旋溝で、補助溝３４は、右巻きの螺旋溝であってよい。
【００６５】
本発明の主題の特徴は、回転切断工具２０が長軸Ａの周りを回転するとき、安定した回転が得られることにある。仮想線ＬＣが、他の全ての端面切断歯４８における周囲表面３０の周囲輪郭ＰＣと、長軸Ａの周りを回転整列する関係にあるために、端面切断歯４８において端面表面２８から同じような軸方向の距離のところに位置する周囲切断歯３６は、回転切断操作の間に実質的に同じ速度で摩耗し、これにより有利に回転切断工具２０の工具の寿命を延ばすことができる。
【００６６】
本出願の主題がある程度特定のものについて述べられているが、以下にクレームされた発明の精神及び範囲を離れない範囲で、様々な代替や変更が行われてよいことは理解されるべきである。
【図１】
0006412272.tif 000002
【図２】
0006412272.tif 000003
【図３】
0006412272.tif 000004
【図４】
0006412272.tif 000005
【図５】
0006412272.tif 000006
【図６ａ】
0006412272.tif 000007
【図６ｂ】
0006412272.tif 000008
【図７】
0006412272.tif 000009
【図８】
0006412272.tif 000010